(57)【要約】【課題】支柱に取付け易く、しかもしっかりと固定できるキャップ付きの支柱を備えたフェンスを提供する。【解決手段】筒状の支柱本体１０にキャップ２０が取付けられた支柱Ｐにパネル３０が取付けられたフェンスＦであって、支柱本体１０は、内部空間１１を囲む壁部１２に支柱本体１０の外部空間と連通する係止孔１３を有し、キャップ２０は、支柱本体１０の開口を覆う蓋部２１と、内部空間１１内に挿入される筒状部２２と、筒状部２２から外側に向けて突出して係止孔１３に係止する突起２３とを備え、支柱本体１０の壁部１２は、係止孔１３を有する前壁部１５と対向する後壁部１６と、前壁部１５及び後壁部１６を連結する二個の側壁部１７とを備え、側壁部１７は、前壁部１５及び後壁部１６より薄肉に形成された薄肉部１７ａを有し、筒状部２２が内部空間１１内に挿入された際、薄肉部１７ａとの間に隙間Ｓ２が形成されるように構成する。【選択図】  図１
2019027200.tif 000002
【特許請求の範囲】
【請求項１】
筒状の支柱本体にキャップが取付けられた支柱にパネルが取付けられたフェンスであって、
前記支柱本体は、内部空間を囲む壁部に該支柱本体の外部空間と連通する係止孔を有し、前記キャップは、前記支柱本体の開口を覆う蓋部と、上下方向に形成され前記内部空間内に挿入される筒状部と、前記筒状部から外側に向けて突出して前記係止孔に係止する突起とを備え、
前記支柱本体の壁部は、
前記係止孔を有する前壁部と該前壁部と対向する後壁部と、前記前壁部及び後壁部を連結する二個の側壁部とを備え、
前記二個の側壁部は、前記前壁部及び後壁部より薄肉に形成された薄肉部を有し、
前記筒状部が前記内部空間内に挿入された際、前記薄肉部との間に隙間が形成されることを特徴とするフェンス。
【請求項２】
前記前壁部は、前記突起を前記支柱本体の長手方向に誘導する溝部を備えるとともに、前記係止孔は前記溝部と該支柱本体の外部空間とを連通していることを特徴とする請求項１に記載のフェンス。
【請求項３】
前記支柱本体は、前記係止孔とは異なる位置に形成された貫通孔を有し、
前記キャップは、前記筒状部の厚さ方向に貫通する透孔を有し、
前記貫通孔と前記透孔とを貫通する固定具を介して支柱にパネルが固定されていることを特徴とする請求項１又は２に記載のフェンス。
【発明の詳細な説明】
【技術分野】
【０００１】
本発明は、道路近傍の住宅、工場、公園等の敷地境界部や隣地境界部に沿って設置されるフェンスに関する。
【背景技術】
【０００２】
住宅、工場、公園等の敷地境界部や隣地境界部に沿って設置されるフェンスは、一般には支柱間に鋼線材を格子状に組んだ網状体、多数の角筒状の縦材を横材で支持した格子体、金属板や金属板と樹脂板とを積層した積層体等の板材等のパネルや、ルーバー材等が取付けられている。
【０００３】
支柱の上端部には、支柱内部に雨水等が入らないようにキャップが取付けられることが多く、このキャップとしては、主に、支柱の上端部に外嵌するタイプと、内挿するタイプとがある。外嵌タイプのキャップは、溶接やかしめ作業によって支柱に固定できるため製作は比較的容易であるが、キャップの外嵌箇所が支柱に取付けるフェンス体と干渉するおそれがある。内挿タイプのキャップは、支柱に取付けやすい構造とすると、取付けた後は支柱から抜け出しやすい傾向にあるため、これを解決するための構造が提案されている。
【０００４】
例えば、特許文献１には、中空状又は半中空状形材の開口端部にプラスチック製のキャップを嵌着する門扉用キャップの取付装置において、前記形材の開口端部近傍のウェブに係合孔を形成する一方、前記キャップは、キャップ本体の裏面において前記形材の開口端部内に嵌挿される突設壁に一体に形成されて前記係合孔に係合する係止舌片とを備えてなるものであって、前記突設壁の下部を連結壁として残存させつつその上部を一部切欠くとともに、該連結壁の外側に前記舌片を形成した門扉用キャップの取付装置が開示されている。
【０００５】
また、特許文献２には、門柱等の中空部の端部にキャップの挿入部を挿入し、その挿入部に門柱の外側からビスをねじ込んで固定するキャップの取付構造において、キャップの挿入部のビスがねじ込まれる部分をビスねじ込み時の引き込み力により外側方向に変形可能に形成した門柱等のキャップの取付構造が提案されている。
【先行技術文献】
【特許文献】
【０００６】
【特許文献１】実開昭６２−１９３９８号公報
【特許文献２】特開２０１０−２４８８２５号公報
【発明の概要】
【発明が解決しようとする課題】
【０００７】
ところで、特許文献１に記載の門扉用キャップは、係合孔に係止舌片を係合させればよいので、キャップの取付は容易であるが、キャップ取付作業時、係止舌片が比較的大きく変形するため、係止舌片が破損するおそれがあった。一方、特許文献２に記載のキャップは、ビスねじ込み時にキャップも同方向に回動するように作用するため、キャップの傾きや外側方向への変形箇所に歪みが生じやすいものであった。
【０００８】
本発明は、前記の如き問題点を解消し、支柱に取付け易く、しかもしっかりと固定できるキャップ付きの支柱を備えたフェンスを提供するものである。
【課題を解決するための手段】
【０００９】
上記目的を達成するために、本発明は次のような構成としている。
すなわちこの発明に係るフェンスは、筒状の支柱本体にキャップが取付けられた支柱にパネルが取付けられたフェンスであって、前記支柱本体は、内部空間を囲む壁部に該支柱本体の外部空間と連通する係止孔を有し、前記キャップは、前記支柱本体の開口を覆う蓋部と、上下方向に形成され前記内部空間内に挿入される筒状部と、前記筒状部から外側に向けて突出して前記係止孔に係止する突起とを備え、前記支柱本体の壁部は、前記係止孔を有する前壁部と該前壁部と対向する後壁部と、前記前壁部及び後壁部を連結する二個の側壁部とを備え、前記二個の側壁部は、前記前壁部及び後壁部より薄肉に形成された薄肉部を有し、前記筒状部が前記内部空間内に挿入された際、前記薄肉部との間に隙間が形成されることを特徴とするものである。
【００１０】
本発明において、前記前壁部は、前記突起を該支柱の長手方向に誘導する溝部を備えるとともに、前記係止孔は前記溝部と前記支柱本体の外部空間とを連通するようにしてもよい。
【００１１】
また本発明において、前記支柱本体は、前記係止孔とは異なる位置に形成された貫通孔を有し、前記キャップは、前記筒状部の厚さ方向に貫通する透孔を有し、前記貫通孔と前記透孔とを貫通する固定具を介して支柱にパネルが固定されるようにしてもよい。
【発明の効果】
【００１２】
本発明によれば、キャップは支柱本体に取付けやすく、しっかりと固定できるので、支柱の組立作業が容易となり、フェンスを設置しやすくなる。
【００１３】
本発明において、前記前壁部は、前記突起を前記支柱本体の長手方向に誘導する溝部を備えるとともに、前記係止孔は前記溝部と前記支柱本体の外部空間とを連通するにすれば、内部空間内に筒状部を挿入した際、前壁部及び後壁部との間隔が広がるように弾性的に変形しうるので、突起の内側への弾性変形による変形量を減らし、突起の破損等が起こりにくくなる。
【００１４】
また、本発明において、前記支柱本体は、前記係止孔とは異なる位置に形成された貫通孔を有し、前記キャップは、前記筒状部の厚さ方向に貫通する透孔を有し、前記貫通孔と前記透孔とを貫通する固定具を介して支柱にパネルが固定されるようにすれば、固定具によりキャップの抜け止めを図りつつパネルの固定ができる。
【図面の簡単な説明】
【００１５】
【図１】本発明に係るフェンスの実施の一形態を示す正面図である。
【図２】本発明に係るフェンスの実施の一形態を示す側面図である。
【図３】本発明に係るフェンスの実施の一形態を示す平面図である。
【図４】図１の支柱のキャップ付近の説明図である。
【図５】図４の一部分解説明図である。
【図６】図５と異なる方向から見た一部分解説明図である。
【図７】図６のＡ−Ａ線の断面において支柱本体に対するキャップの取付方法の一例を示す説明図である。
【図８】図４のＢ−Ｂ線の拡大断面図である。
【発明を実施するための形態】
【００１６】
次に、本発明を実施するための最良の形態について図面を参照し、具体的に説明する。
【００１７】
図面において、１０は筒状の支柱本体、２０は支柱本体１０に取付けられたキャップ、Ｐは、支柱本体１０にキャップ２０が取付けられた支柱、３０は支柱Ｐに取付けられたパネルであって、本発明に係るフェンスＦは主に支柱Ｐとパネル３０とから構成されており、間隔をあけて立設された支柱Ｐの間にパネル３０が固定されてフェンスＦとなされている。
【００１８】
図１〜図３は、本発明に係る支柱を用いたフェンスの実施の一形態を示す説明図であって、図１は正面図、図２は図１のＡ−Ａ線の拡大断面図は側面図、図３は平面図である。支柱本体１０は、一般に金属製であって、本形態では、アルミニウム合金からなる押出形材を適宜長さに切断して用いたものである。支柱本体１０の材質は、アルミニウム合金以外に、ステンレス合金、鋼材等を挙げることができる。また、支柱の耐食性や耐候性を高めるために金属めっきや塗装が施されてもよい。支柱Ｐは左右方向に間隔をあけて立設されており、支柱Ｐの前面側にパネル３０が固定されている。
【００１９】
次に、支柱本体１０に対するキャップ２０の取付構造について図４〜図８を用いて説明する。図４は図１の支柱のキャップ付近の説明図、図５は図４の一部分解説明図、図６は図５と異なる方向から見た一部分解説明図、図７は図６のＡ−Ａ線の断面において支柱本体に対するキャップの取付方法の一例を示す説明図、図８は図４のＢ−Ｂ線の拡大断面図である。なお、図７に示された図６のＡ−Ａ線は、キャップ２０において後述する突起２３とリブ２６とを通る断面である。支柱Ｐは、図４に示すように、支柱本体１０の上端部にキャップ２０が取付けられたものであって、キャップ２０によって支柱本体１０の内部への雨水等の浸入を防いでいる。
【００２０】
支柱本体１０は、図５に示すように、長手方向に沿って形成された内部空間１１と、該内部空間１１を囲む壁部１２とによって筒型に形成されている。壁部１２は、内部空間１１と該支柱本体１０の外部空間とを連通する係止孔１３を有している。
【００２１】
キャップ２０は、図５〜図７に示すように、支柱本体１０の開口を覆う蓋部２１と、支柱本体１０の内部空間１１内に挿入可能な筒状部２２とを備えている。筒状部２２は、上下方向に沿って形成されており、支柱本体１０の壁部１２の内側形状に対向する外形を有し、下方に開口する有底の筒状に形成されている。また、筒状部２２は、筒状部２２の内側に向けて弾性変形可能であって、かつ、外側に向けて突出する突起２３を備えている。
【００２２】
続いて、支柱本体１０に対するキャップ２０の取付方法の一例について、図５，図７に基づいて説明する。すなわち、図５に示すように、筒状部２２の突起２３と、壁部１２の係止孔１３の位置を合わせて、支柱本体１０の内部空間１１内にキャップ２０の筒状部２２を挿入する段階、図７の（ａ）に示ように、突起２３の先端部２３ａが壁部１２と隙間Ｓ１が生じた状態であって、内部空間１１の長手方向に沿って筒状部２２の移動が容易な段階、（ｂ）に示すように、突起２３が壁部１２から相対的に押圧されて、筒状部２２の内側に向けて弾性変形する段階、（ｃ）に示すように、突起２３の弾性変形が解放され、該突起２３が係止孔１３に係止される段階、これらの複数の段階を経て、キャップ２０が支柱本体１０に取付けられる。
【００２３】
壁部１２は、長手方向に沿って連続して形成され、かつ、内部空間１１に向けて開口する溝部１４を備えた前壁部１５を有しており、前記溝部１４の底部１４ａから支柱本体１０に向けて貫通する貫通孔が前述の係止孔１３となされている。また、突起２３は溝部１４内に配置可能の大きさであって、溝部１４内の長手方向に沿って移動可能である。
【００２４】
これにより、平面視において、突起２３を溝部１４内に配置した状態で、内部空間１１内に筒状部２２を挿入すれば、突起２３を係止孔１３に誘導させやすくなる。
【００２５】
突起２３は、本形態では、図５に示すように、筒状部２２の下端から上方に延びる二個の切欠部２４の間に位置する舌片２５に形成されている。
【００２６】
これにより、内部空間１１の中心側に向けて弾性変形可能な舌片２５に追従して、突起２３も内部空間１１の中心側に向けて移動可能となる。すなわち、突起２３が弾性変形可能とは、突起２３自身が弾性変形可能な形態と、本形態のごとく、突起２３が形成された舌片２５が弾性変形可能な形態を含む。
【００２７】
また、筒状部２２は、図５〜図７に示すように、突起２３と対向する位置に、外側に向けて突出するリブ２６を有しており、内部空間１１内に筒状部２２を挿入した際、図７の（ａ）の段階から、突起２３の先端部２３ａが溝部１４の底部１４ａに当接するとともに、リブ２６が壁部１２に当接する段階を経て、（ｂ）に示される突起２３が弾性変形した段階となる。
【００２８】
これにより、壁部１２は、前壁部１５と対向し、かつ、リブ２６が当接する後壁部１６では、筒状部２２との接触面積を少なくなり、摩擦を抑えることで支柱本体１０に対するキャップ２０の取付作業が容易となる。リブ２６は、上下方向に沿って細長形状に形成されるとともに、幅方向に離間して二個形成されたものであるが、形状や個数は適宜設定することができる。
【００２９】
更に、図８に示すように、壁部１２は、係止孔２３を有する前壁部１５と該前壁部１５と対向する後壁部１６と、前壁部１５及び後壁部１６を連結する二個の側壁部１７，１７とを備えており、前壁部１５及び後壁部１６は相対的に厚肉に形成されており、前壁部１５と後壁部１６とを連結する一対の側壁部１７，１７は薄肉に形成された薄肉部１７ａを有している。薄肉部１７ａは、内部空間１１内に挿入された筒状部２２との間に隙間Ｓ２が形成されている。
【００３０】
これにより、内部空間１１内に筒状部２２を挿入した際、前壁部１５及び後壁部１６との間隔が広がるように弾性的に変形しうるので、図７の（ｂ）に示す突起２３の内側への弾性変形による変形量を減らし、突起２３の破損等が起こりにくくなる。
【００３１】
続いて、固定具を介して支柱本体１０にキャップ２０とパネル３０を固定する固定構造について、図６を用いて詳しく説明する。キャップ２０の筒状部２２は、下方に突出して厚さ方向に貫通する透孔２７ａを有する垂下片２７を備えている。支柱本体１０にキャップ２０を取付けた際、支柱本体１０には、透孔２７ａに対向する位置に前後方向に貫通する貫通孔１８，１８が形成されており、貫通孔１８、透孔２７ａ、貫通孔１８を貫通する固定具４０と固定具４０に締結される締結具４３により、支柱本体１０からキャップ２０が抜け出さないように固定される。
【００３２】
これにより、フェンスＦの組立後は、キャップ２０の突起２３の支柱本体１０の係止孔１３から外そうとしても、具体的には、突起２３を支柱本体１０の内側に押し込んでも、固定具４０が貫通孔１８と透孔２７ａを貫通しているので、キャップ２０は容易に取り外すことができない。
【００３３】
固定具４０は、本形態では、一端部はナット４３が螺合されるねじ部４１を有し、他端部は半円弧状に形成され、その内側にパネル３０の横材３２を係止する係止部４２を有している。また締結具４３は、ねじ部４１に螺入されるナットである。これにより、キャップ２０とパネル３０を一度の作業で固定することができるので、フェンスＦの組立作業が容易となる。なお、本形態では、パネル３０は縦材３１と横材３２とからなる格子パネルであって、横材３２がボルト４０の係止部４２に係止されたものであるが、パネル３０の形態は特に限定されるものではない。
【００３４】
以上、本発明の支柱Ｐについて、実施形態に基づいて説明したが、本発明は、これらの実施形態に限定されるものではない。本発明の要旨を逸脱しない範囲内で当業者が思いつく各種変形を施したものも本発明の範囲内に含まれる。
【００３５】
例えば、壁部１２を構成する側壁部１７は、前壁部１５及び後壁部１６より薄肉で、かつ、キャップ２０の筒状部２２との間に隙間Ｓ２が生じていればよいので、側壁部１７の外側面は平坦に形成されたものでもよい。また、隙間Ｓ２は、側壁部１７の内壁面の全域にわたって形成されているのが最も好ましいが、キャップ２０の筒状部２２を内部空間１１内にスムーズに挿入できることが好ましく、本形態のように少なくとも側壁部１７の中央部付近に隙間Ｓ２が形成されるようにすることが好ましい。
【産業上の利用可能性】
【００３６】
本発明は、道路近傍の住宅、工場、公園等の敷地境界部や隣地境界部に沿って取付けられるフェンスの支柱として広く利用することができる。
【符号の説明】
【００３７】
１０  支柱本体
１１  内部空間
１２  壁部
１３  係止孔
１４  溝部
１４ａ  底部
１５  前壁部
１６  後壁部
１７  側壁部
１７ａ  薄肉部
１８  貫通孔
２０  キャップ
２１  蓋部
２２  筒状部
２３  突起
２３ａ  先端部
２４  切欠部
２５  舌片
２６  リブ
２７  垂下片
２７ａ  透孔
３０  パネル
３１  縦材
３２  横材
４０  固定具
４１  ねじ部
４２  係止部
４３  締結具
Ｆ    フェンス
Ｐ    支柱
Ｓ１，Ｓ２  隙間
【図１】
2019027200.tif 000003
【図２】
2019027200.tif 000004
【図３】
2019027200.tif 000005
【図４】
2019027200.tif 000006
【図５】
2019027200.tif 000007
【図６】
2019027200.tif 000008
【図７】
2019027200.tif 000009
【図８】
2019027200.tif 000010